【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
遊技盤を装着し得る本体枠と、
該本体枠に開閉自在に軸支され、かつ、前記遊技盤の遊技領域を遊技者が視認し得る遊技窓が形成される扉枠と、
を備える遊技機であって、
前記遊技盤を含む本体枠は、
遊技の進行を制御する遊技マイクロプロセッサが実装される主制御手段と、
該主制御手段からのコマンドに基づいて、前記遊技機に取り付けられる遊技演出用の各種電気部材を制御する演出マイクロプロセッサが実装される周辺制御手段と、
を備え、
前記演出マイクロプロセッサは、
中央処理部と、
該中央処理部によって作成される各種演出進行データがバスを介して固定時間タイマ割り込みが発生するごとに交互に記憶される第１記憶部と第２記憶部とを有する記憶部と、
前記遊技演出用の各種電気部材を制御するための演出進行データをシリアルデータとして送信するシリアル送信部と、
前記中央処理部と独立して構成され、前記固定時間タイマ割り込みが発生するごとに前記第１記憶部と前記第２記憶部とのうちいずれか一方に交互に記憶される前記演出進行データを、前記バスを介して、前記シリアル送信部の送信バッファに転送する転送部と、
が内蔵され、
前記遊技機は、さらに、
前記シリアル送信部から送信される前記演出進行データを受信するとともに、当該演出進行データをシリアルデータからパラレルデータに変換して前記遊技演出用の各種電気部材に駆動信号を出力するシリアルパラレル変換部が実装されるシリアルパラレル変換手段
を複数備え、
前記複数のシリアルパラレル変換手段は、前記周辺制御手段と１系統で電気的に接続され、
前記中央処理部は、前記固定時間タイマ割り込みが発生してから次の固定時間タイマ割り込みが発生するまでの期間内に、前記演出進行データを作成して前記第１記憶部と前記第２記憶部とのうちいずれか一方に記憶して前記転送部の送信要求要因として前記シリアル送信部への送信要求を指定し、
前記シリアル送信部は、その送信バッファに書き込まれた固定長さのデータを、その送信レジスタに転送して送信開始し、
前記転送部は、前記固定時間タイマ割り込みが発生してから次の固定時間タイマ割り込みが発生するまでの期間内において、前記シリアル送信部の送信要求の発生を契機として、前記中央処理部が前記バスを使用していない場合に、当該バスの使用権を得るとともに、当該固定時間タイマ割り込みの１つ前の固定時間タイマ割り込みが発生したときに前記第１記憶部と前記第２記憶部とのうちいずれか他方に記憶された前記演出進行データを前記固定長さのデータずつ、当該バスを介して、前記シリアル送信部の送信バッファに転送して書き込み、当該記憶部に記憶されたすべての前記演出進行データを、当該バスを介して、当該シリアル送信部の送信バッファに転送して書き込みを完了すると、当該転送部による当該バスの使用権を当該中央処理部に返し、
前記固定時間タイマ割り込みが発生してから次の固定時間タイマ割り込みが発生するまでの期間内において、当該固定時間タイマ割り込みの１つ前の固定時間タイマ割り込みが発生したときに前記第１記憶部と前記第２記憶部とのうちいずれか他方に記憶されたすべての前記演出進行データを前記転送部が前記固定長さのデータずつ、前記バスを介して、前記シリアル送信部の送信バッファに転送して書き込むのに要する当該バスを使用する時間は、当該第１記憶部と当該第２記憶部とのうちいずれか他方に記憶されたすべての当該演出進行データを前記中央処理部が当該固定長さのデータずつ、当該バスを介して、当該シリアル送信部の送信バッファに転送して書き込んで送信完了するまでに要する時間と比べて短いことを特徴とする遊技機。
【請求項２】
遊技盤を装着し得る本体枠と、
該本体枠に開閉自在に軸支され、かつ、前記遊技盤の遊技領域を遊技者が視認し得る遊技窓が形成される扉枠と、
を備える遊技機であって、
前記遊技盤を含む本体枠は、
遊技の進行を制御する遊技マイクロプロセッサが実装される主制御手段と、
該主制御手段からのコマンドに基づいて、前記遊技機に取り付けられる遊技演出用の各種電気部材を制御する演出マイクロプロセッサが実装される周辺制御手段と、
を備え、
前記演出マイクロプロセッサは、
中央処理部と、
該中央処理部によって作成される各種演出進行データがバスを介して固定時間タイマ割り込みが発生するごとに交互に記憶される第１記憶部と第２記憶部とを有する記憶部と、
前記遊技演出用の各種電気部材を制御するための演出進行データをシリアルデータとして送信するシリアル送信部と、
前記中央処理部と独立して構成され、前記固定時間タイマ割り込みが発生するごとに前記第１記憶部と前記第２記憶部とのうちいずれか一方に交互に記憶される前記演出進行データを、前記バスを介して、前記シリアル送信部の送信バッファに転送する転送部と、
が内蔵され、
前記遊技機は、さらに、
前記シリアル送信部から送信される前記演出進行データを受信するとともに、当該演出進行データをシリアルデータからパラレルデータに変換して前記遊技演出用の各種電気部材に駆動信号を出力するシリアルパラレル変換部が実装されるシリアルパラレル変換手段
を複数備え、
前記複数のシリアルパラレル変換手段は、予め定めたいくつかのグループのうち一のグループに属するようにグループ化されるとともに、該予め定めたいくつかのグループごとに前記周辺制御手段と１系統でそれぞれ電気的に接続され、
前記中央処理部は、前記固定時間タイマ割り込みが発生してから次の固定時間タイマ割り込みが発生するまでの期間内に、前記演出進行データを作成して前記第１記憶部と前記第２記憶部とのうちいずれか一方に記憶して前記転送部の送信要求要因として前記シリアル送信部への送信要求を指定し、
前記シリアル送信部は、その送信バッファに書き込まれた固定長さのデータを、その送信レジスタに転送して送信開始し、
前記転送部は、前記固定時間タイマ割り込みが発生してから次の固定時間タイマ割り込みが発生するまでの期間内において、前記シリアル送信部の送信要求の発生を契機として、前記中央処理部が前記バスを使用していない場合に、当該バスの使用権を得るとともに、当該固定時間タイマ割り込みの１つ前の固定時間タイマ割り込みが発生したときに前記第１記憶部と前記第２記憶部とのうちいずれか他方に記憶された前記演出進行データを前記固定長さのデータずつ、当該バスを介して、前記シリアル送信部の送信バッファに転送して書き込み、当該記憶部に記憶されたすべての前記演出進行データを、当該バスを介して、当該シリアル送信部の送信バッファに転送して書き込みを完了すると、当該転送部による当該バスの使用権を当該中央処理部に返し、
前記固定時間タイマ割り込みが発生してから次の固定時間タイマ割り込みが発生するまでの期間内において、当該固定時間タイマ割り込みの１つ前の固定時間タイマ割り込みが発生したときに前記第１記憶部と前記第２記憶部とのうちいずれか他方に記憶されたすべての前記演出進行データを前記転送部が前記固定長さのデータずつ、前記バスを介して、前記シリアル送信部の送信バッファに転送して書き込むのに要する当該バスを使用する時間は、当該第１記憶部と当該第２記憶部とのうちいずれか他方に記憶されたすべての当該演出進行データを前記中央処理部が当該固定長さのデータずつ、当該バスを介して、当該シリアル送信部の送信バッファに転送して書き込んで送信完了するまでに要する時間と比べて短いことを特徴とする遊技機。
【手続補正２】
【補正対象書類名】明細書
【補正対象項目名】０００１
【補正方法】変更
【補正の内容】
【０００１】
本発明は、遊技演出用の各種電気部材が取り付けられる遊技機に関するものである。
【手続補正３】
【補正対象書類名】明細書
【補正対象項目名】０００２
【補正方法】変更
【補正の内容】
【０００２】
従来より、遊技演出用の各種電気部材を扉枠や遊技盤に設ける遊技機が提案されている（例えば、特許文献１）。この特許文献１に記載される遊技機においては、例えば特許文献２に示されるような、固定時間タイマ割り込みが発生すると、遊技演出用の各種電気部材を駆動する処理を実行するほかに、変動表示装置の表示制御等のその他の処理も実行している。
【手続補正４】
【補正対象書類名】明細書
【補正対象項目名】０００３
【補正方法】変更
【補正の内容】
【０００３】
【特許文献１】特開２００９−０１１５９８号公報
【特許文献２】特開２００８−２００２０７号公報
【手続補正５】
【補正対象書類名】明細書
【補正対象項目名】０００４
【補正方法】変更
【補正の内容】
【０００４】
ところが、上記のような処理を行う遊技機では、固定時間タイマ割り込みが発生して次の固定時間タイマ割り込みが発生するまでの期間内に、遊技演出用の各種電気部材を駆動する処理を実行するほかに、その他の処理も実行する必要があるため、遊技演出用の各種電気部材を多く設けることができないという問題があった。
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】変更
【補正の内容】
【０００６】
本発明は、このような事情に鑑みてなされたものであり、その目的とするところは、多くの遊技演出用の各種電気部材を設けることができる遊技機を提供することにある。
【手続補正８】
【補正対象書類名】明細書
【補正対象項目名】０００８
【補正方法】変更
【補正の内容】
【０００８】
（解決手段１）
遊技盤を装着し得る本体枠と、該本体枠に開閉自在に軸支され、かつ、前記遊技盤の遊技領域を遊技者が視認し得る遊技窓が形成される扉枠と、を備える遊技機であって、前記遊技盤を含む本体枠は、遊技の進行を制御する遊技マイクロプロセッサが実装される主制御手段と、該主制御手段からのコマンドに基づいて、前記遊技機に取り付けられる遊技演出用の各種電気部材を制御する演出マイクロプロセッサが実装される周辺制御手段と、を備え、前記演出マイクロプロセッサは、中央処理部と、該中央処理部によって作成される各種演出進行データがバスを介して固定時間タイマ割り込みが発生するごとに交互に記憶される第１記憶部と第２記憶部とを有する記憶部と、前記遊技演出用の各種電気部材を制御するための演出進行データをシリアルデータとして送信するシリアル送信部と、前記中央処理部と独立して構成され、前記固定時間タイマ割り込みが発生するごとに前記第１記憶部と前記第２記憶部とのうちいずれか一方に交互に記憶される前記演出進行データを、前記バスを介して、前記シリアル送信部の送信バッファに転送する転送部と、が内蔵され、前記遊技機は、さらに、前記シリアル送信部から送信される前記演出進行データを受信するとともに、当該演出進行データをシリアルデータからパラレルデータに変換して前記遊技演出用の各種電気部材に駆動信号を出力するシリアルパラレル変換部が実装されるシリアルパラレル変換手段を複数備え、前記複数のシリアルパラレル変換手段は、前記周辺制御手段と１系統で電気的に接続され、前記中央処理部は、前記固定時間タイマ割り込みが発生してから次の固定時間タイマ割り込みが発生するまでの期間内に、前記演出進行データを作成して前記第１記憶部と前記第２記憶部とのうちいずれか一方に記憶して前記転送部の送信要求要因として前記シリアル送信部への送信要求を指定し、前記シリアル送信部は、その送信バッファに書き込まれた固定長さのデータを、その送信レジスタに転送して送信開始し、前記転送部は、前記固定時間タイマ割り込みが発生してから次の固定時間タイマ割り込みが発生するまでの期間内において、前記シリアル送信部の送信要求の発生を契機として、前記中央処理部が前記バスを使用していない場合に、当該バスの使用権を得るとともに、当該固定時間タイマ割り込みの１つ前の固定時間タイマ割り込みが発生したときに前記第１記憶部と前記第２記憶部とのうちいずれか他方に記憶された前記演出進行データを前記固定長さのデータずつ、当該バスを介して、前記シリアル送信部の送信バッファに転送して書き込み、当該記憶部に記憶されたすべての前記演出進行データを、当該バスを介して、当該シリアル送信部の送信バッファに転送して書き込みを完了すると、当該転送部による当該バスの使用権を当該中央処理部に返し、前記固定時間タイマ割り込みが発生してから次の固定時間タイマ割り込みが発生するまでの期間内において、当該固定時間タイマ割り込みの１つ前の固定時間タイマ割り込みが発生したときに前記第１記憶部と前記第２記憶部とのうちいずれか他方に記憶されたすべての前記演出進行データを前記転送部が前記固定長さのデータずつ、前記バスを介して、前記シリアル送信部の送信バッファに転送して書き込むのに要する当該バスを使用する時間は、当該第１記憶部と当該第２記憶部とのうちいずれか他方に記憶されたすべての当該演出進行データを前記中央処理部が当該固定長さのデータずつ、当該バスを介して、当該シリアル送信部の送信バッファに転送して書き込んで送信完了するまでに要する時間と比べて短いことを特徴とする遊技機。
【手続補正９】
【補正対象書類名】明細書
【補正対象項目名】０００９
【補正方法】変更
【補正の内容】
【０００９】
この遊技機では、遊技盤を装着し得る本体枠と、この本体枠に開閉自在に軸支され、かつ、遊技盤の遊技領域を遊技者が視認し得る遊技窓が形成される扉枠と、を備えている。
遊技盤を含む本体枠は、主制御手段、周辺制御手段を備えている。主制御手段は、遊技の進行を制御する遊技マイクロプロセッサが実装されている。周辺制御手段は、主制御手段からのコマンドに基づいて、遊技機に取り付けられる遊技演出用の各種電気部材を制御する演出マイクロプロセッサが実装されている。
前記演出マイクロプロセッサは、中央処理部、記憶部、シリアル送信部、転送部が内蔵されている。記憶部は、中央処理部によって作成される各種演出進行データがバスを介して固定時間タイマ割り込みが発生するごとに交互に記憶される第１記憶部と第２記憶部とを有するものである。シリアル送信部は、遊技演出用の各種電気部材を制御するための演出進行データをシリアルデータとして送信するものである。転送部は、中央処理部と独立して構成され、固定時間タイマ割り込みが発生するごとに第１記憶部と第２記憶部とのうちいずれか一方に交互に記憶される演出進行データを、バスを介して、シリアル送信部の送信バッファに転送するものである。
遊技機は、さらに、シリアルパラレル変換手段を複数備えている。複数のシリアルパラレル変換手段は、シリアル送信部から送信される演出進行データを受信するとともに、演出進行データをシリアルデータからパラレルデータに変換して遊技演出用の各種電気部材に駆動信号を出力するものであり、周辺制御手段と１系統で電気的に接続されている。
中央処理部は、固定時間タイマ割り込みが発生してから次の固定時間タイマ割り込みが発生するまでの期間内に、演出進行データを作成して第１記憶部と第２記憶部とのうちいずれか一方に記憶して転送部の送信要求要因としてシリアル送信部への送信要求を指定する。
シリアル送信部は、その送信バッファに書き込まれた固定長さのデータを、その送信レジスタに転送して送信開始する。
転送部は、固定時間タイマ割り込みが発生してから次の固定時間タイマ割り込みが発生するまでの期間内において、シリアル送信部の送信要求の発生を契機として、中央処理部がバスを使用していない場合に、バスの使用権を得るとともに、固定時間タイマ割り込みの１つ前の固定時間タイマ割り込みが発生したときに第１記憶部と第２記憶部とのうちいずれか他方に記憶された演出進行データを固定長さのデータずつ、バスを介して、シリアル送信部の送信バッファに転送して書き込み、記憶部に記憶されたすべての演出進行データを、バスを介して、シリアル送信部の送信バッファに転送して書き込みを完了すると、転送部によるバスの使用権を当該中央処理部に返す。
固定時間タイマ割り込みが発生してから次の固定時間タイマ割り込みが発生するまでの期間内において、固定時間タイマ割り込みの１つ前の固定時間タイマ割り込みが発生したときに第１記憶部と第２記憶部とのうちいずれか他方に記憶されたすべての演出進行データを転送部が固定長さのデータずつ、バスを介して、シリアル送信部の送信バッファに転送して書き込むのに要するバスを使用する時間は、第１記憶部と第２記憶部とのうちいずれか他方に記憶されたすべての演出進行データを中央処理部が固定長さのデータずつ、バスを介して、シリアル送信部の送信バッファに転送して書き込んで送信完了するまでに要する時間と比べて短い。
【手続補正１０】
【補正対象書類名】明細書
【補正対象項目名】００１０
【補正方法】変更
【補正の内容】
【００１０】
本実施形態では、例えば、図１の遊技盤４が遊技盤に相当し、図１の本体枠３が本体枠に相当し、図１の扉枠５が扉枠に相当し、図１のパチンコ遊技機１が遊技機に相当し、図１７２の主制御ＭＰＵ４１００ａが遊技マイクロプロセッサに相当し、図１７２の主制御基板４１００が主制御手段に相当し、図３９のカラーＬＥＤ３３６ａ、図４３のカラーＬＥＤ３７５ａ、図１７のカラーＬＥＤ１２６ａ、白色ＬＥＤ１２６ｂ、フラッシュライト１２９ａ、図５６及び図５７のカラーＬＥＤ４５３ａ、図２６のカラーＬＥＤ２２４ａ，２２６ａ，２３１ａ、図２８のカラーＬＥＤ２４８ａ、図２９のカラーＬＥＤ２６８ａ、図３０のカラーＬＥＤ２８８ａ，２９６ａ、図２８の左回転灯モータ２４５、図２９の右回転灯モータ２６５、図３０の中央回転灯モータ２８５、図４６の振動体３７１ｃ等が遊技演出用の各種電気部材に相当し、図１７３の周辺制御ＭＰＵ４１４０ａが演出マイクロプロセッサに相当し、図１７３の周辺制御基板４１３９が演出制御手段に相当し、図１７６の周辺制御ＣＰＵコア４１４０ａａが中央処理部に相当し、図１７６のバス４１４０ａｈがバスに相当し、図１７６の周辺制御内蔵ＲＡＭ４１４０ａｂにおけるランプ駆動基板側送信データ領域４１４０ａｂａ、扉装飾駆動基板側送信データ領域４１４０ａｂｂ、モータ駆動基板側送信データ領域４１４０ａｂｃが記憶部に相当し、図１７６の周辺制御各種シリアルＩ／Ｏポート４１４０ａｅがシリアル送信部に相当し、図１７６の周辺制御ＤＭＡコントローラ４１４０ａｃが転送部に相当し、図１７７の扉装飾駆動基板１９２のシリアルパラレル変換ＩＣ群１９２ｄ、図１７８の受皿中継基板１９０のシリアルパラレル変換ＩＣ群１９０ａ、左サイド装飾基板１２６Ｌのシリアルパラレル変換ＩＣ群１２６Ｌａ、ガラス装飾中継基板４５４のシリアルパラレル変換ＩＣ群４５４ａ、図１７９の左トップランプ基板２０６Ｌのシリアルパラレル変換ＩＣ群２０６Ｌａ、右トップランプ基板２０６Ｒのシリアルパラレル変換ＩＣ群２０６Ｒａ、右サイド装飾基板１２６Ｒのシリアルパラレル変換ＩＣ群１２６Ｒａ等がシリアルパラレル変換部に相当し、図１５の扉装飾駆動基板１９２、図３２の受皿中継基板１９０、図１７の左サイド装飾基板１２６Ｌ、図５７のガラス装飾中継基板４５４、図２６の左トップランプ基板２０６Ｌ、右トップランプ基板２０６Ｒ、及び図１９の右サイド装飾基板１２６Ｒがシリアルパラレル変換手段に相当する。
【手続補正１１】
【補正対象書類名】明細書
【補正対象項目名】００１１
【補正方法】変更
【補正の内容】
【００１１】
（解決手段２）
遊技盤を装着し得る本体枠と、該本体枠に開閉自在に軸支され、かつ、前記遊技盤の遊技領域を遊技者が視認し得る遊技窓が形成される扉枠と、を備える遊技機であって、前記遊技盤を含む本体枠は、遊技の進行を制御する遊技マイクロプロセッサが実装される主制御手段と、該主制御手段からのコマンドに基づいて、前記遊技機に取り付けられる遊技演出用の各種電気部材を制御する演出マイクロプロセッサが実装される周辺制御手段と、を備え、前記演出マイクロプロセッサは、中央処理部と、該中央処理部によって作成される各種演出進行データがバスを介して固定時間タイマ割り込みが発生するごとに交互に記憶される第１記憶部と第２記憶部とを有する記憶部と、前記遊技演出用の各種電気部材を制御するための演出進行データをシリアルデータとして送信するシリアル送信部と、前記中央処理部と独立して構成され、前記固定時間タイマ割り込みが発生するごとに前記第１記憶部と前記第２記憶部とのうちいずれか一方に交互に記憶される前記演出進行データを、前記バスを介して、前記シリアル送信部の送信バッファに転送する転送部と、が内蔵され、前記遊技機は、さらに、前記シリアル送信部から送信される前記演出進行データを受信するとともに、当該演出進行データをシリアルデータからパラレルデータに変換して前記遊技演出用の各種電気部材に駆動信号を出力するシリアルパラレル変換部が実装されるシリアルパラレル変換手段を複数備え、前記複数のシリアルパラレル変換手段は、予め定めたいくつかのグループのうち一のグループに属するようにグループ化されるとともに、該予め定めたいくつかのグループごとに前記周辺制御手段と１系統でそれぞれ電気的に接続され、前記中央処理部は、前記固定時間タイマ割り込みが発生してから次の固定時間タイマ割り込みが発生するまでの期間内に、前記演出進行データを作成して前記第１記憶部と前記第２記憶部とのうちいずれか一方に記憶して前記転送部の送信要求要因として前記シリアル送信部への送信要求を指定し、前記シリアル送信部は、その送信バッファに書き込まれた固定長さのデータを、その送信レジスタに転送して送信開始し、前記転送部は、前記固定時間タイマ割り込みが発生してから次の固定時間タイマ割り込みが発生するまでの期間内において、前記シリアル送信部の送信要求の発生を契機として、前記中央処理部が前記バスを使用していない場合に、当該バスの使用権を得るとともに、当該固定時間タイマ割り込みの１つ前の固定時間タイマ割り込みが発生したときに前記第１記憶部と前記第２記憶部とのうちいずれか他方に記憶された前記演出進行データを前記固定長さのデータずつ、当該バスを介して、前記シリアル送信部の送信バッファに転送して書き込み、当該記憶部に記憶されたすべての前記演出進行データを、当該バスを介して、当該シリアル送信部の送信バッファに転送して書き込みを完了すると、当該転送部による当該バスの使用権を当該中央処理部に返し、前記固定時間タイマ割り込みが発生してから次の固定時間タイマ割り込みが発生するまでの期間内において、当該固定時間タイマ割り込みの１つ前の固定時間タイマ割り込みが発生したときに前記第１記憶部と前記第２記憶部とのうちいずれか他方に記憶されたすべての前記演出進行データを前記転送部が前記固定長さのデータずつ、前記バスを介して、前記シリアル送信部の送信バッファに転送して書き込むのに要する当該バスを使用する時間は、当該第１記憶部と当該第２記憶部とのうちいずれか他方に記憶されたすべての当該演出進行データを前記中央処理部が当該固定長さのデータずつ、当該バスを介して、当該シリアル送信部の送信バッファに転送して書き込んで送信完了するまでに要する時間と比べて短いことを特徴とする遊技機。
【手続補正１２】
【補正対象書類名】明細書
【補正対象項目名】００１２
【補正方法】変更
【補正の内容】
【００１２】
この遊技機では、遊技盤を装着し得る本体枠と、この本体枠に開閉自在に軸支され、かつ、遊技盤の遊技領域を遊技者が視認し得る遊技窓が形成される扉枠と、を備えている。
遊技盤を含む本体枠は、主制御手段、周辺制御手段を備えている。主制御手段は、遊技の進行を制御する遊技マイクロプロセッサが実装されている。周辺制御手段は、主制御手段からのコマンドに基づいて、遊技機に取り付けられる遊技演出用の各種電気部材を制御する演出マイクロプロセッサが実装されている。
前記演出マイクロプロセッサは、中央処理部、記憶部、シリアル送信部、転送部が内蔵されている。記憶部は、中央処理部によって作成される各種演出進行データがバスを介して固定時間タイマ割り込みが発生するごとに交互に記憶される第１記憶部と第２記憶部とを有するものである。シリアル送信部は、遊技演出用の各種電気部材を制御するための演出進行データをシリアルデータとして送信するものである。転送部は、中央処理部と独立して構成され、固定時間タイマ割り込みが発生するごとに第１記憶部と第２記憶部とのうちいずれか一方に交互に記憶される演出進行データを、バスを介して、シリアル送信部の送信バッファに転送するものである。
遊技機は、さらに、シリアルパラレル変換手段を複数備えている。複数のシリアルパラレル変換手段は、シリアル送信部から送信される演出進行データを受信するとともに、演出進行データをシリアルデータからパラレルデータに変換して遊技演出用の各種電気部材に駆動信号を出力するものである。複数のシリアルパラレル変換手段は、予め定めたいくつかのグループのうち一のグループに属するようにグループ化されるとともに、予め定めたいくつかのグループごとに、周辺制御手段と１系統でそれぞれ電気的に接続されている。
中央処理部は、固定時間タイマ割り込みが発生してから次の固定時間タイマ割り込みが発生するまでの期間内に、演出進行データを作成して第１記憶部と第２記憶部とのうちいずれか一方に記憶して転送部の送信要求要因としてシリアル送信部への送信要求を指定する。
シリアル送信部は、その送信バッファに書き込まれた固定長さのデータを、その送信レジスタに転送して送信開始する。
転送部は、固定時間タイマ割り込みが発生してから次の固定時間タイマ割り込みが発生するまでの期間内において、シリアル送信部の送信要求の発生を契機として、中央処理部がバスを使用していない場合に、バスの使用権を得るとともに、固定時間タイマ割り込みの１つ前の固定時間タイマ割り込みが発生したときに第１記憶部と第２記憶部とのうちいずれか他方に記憶された演出進行データを固定長さのデータずつ、バスを介して、シリアル送信部の送信バッファに転送して書き込み、記憶部に記憶されたすべての演出進行データを、バスを介して、シリアル送信部の送信バッファに転送して書き込みを完了すると、転送部によるバスの使用権を当該中央処理部に返す。
固定時間タイマ割り込みが発生してから次の固定時間タイマ割り込みが発生するまでの期間内において、固定時間タイマ割り込みの１つ前の固定時間タイマ割り込みが発生したときに第１記憶部と第２記憶部とのうちいずれか他方に記憶されたすべての演出進行データを転送部が固定長さのデータずつ、バスを介して、シリアル送信部の送信バッファに転送して書き込むのに要するバスを使用する時間は、第１記憶部と第２記憶部とのうちいずれか他方に記憶されたすべての演出進行データを中央処理部が固定長さのデータずつ、バスを介して、シリアル送信部の送信バッファに転送して書き込んで送信完了するまでに要する時間と比べて短い。
【手続補正１３】
【補正対象書類名】明細書
【補正対象項目名】００１３
【補正方法】変更
【補正の内容】
【００１３】
本実施形態では、例えば、図１の遊技盤４が遊技盤に相当し、図１の本体枠３が本体枠に相当し、図１の扉枠５が扉枠に相当し、図１のパチンコ遊技機１が遊技機に相当し、図１７２の主制御ＭＰＵ４１００ａが遊技マイクロプロセッサに相当し、図１７２の主制御基板４１００が主制御手段に相当し、図３９のカラーＬＥＤ３３６ａ、図４３のカラーＬＥＤ３７５ａ、図１７のカラーＬＥＤ１２６ａ、白色ＬＥＤ１２６ｂ、フラッシュライト１２９ａ、図５６及び図５７のカラーＬＥＤ４５３ａ、図２６のカラーＬＥＤ２２４ａ，２２６ａ，２３１ａ、図２８のカラーＬＥＤ２４８ａ、図２９のカラーＬＥＤ２６８ａ、図３０のカラーＬＥＤ２８８ａ，２９６ａ、図２８の左回転灯モータ２４５、図２９の右回転灯モータ２６５、図３０の中央回転灯モータ２８５、図４６の振動体３７１ｃ等が遊技演出用の各種電気部材に相当し、図１７３の周辺制御ＭＰＵ４１４０ａが演出マイクロプロセッサに相当し、図１７３の周辺制御基板４１３９が演出制御手段に相当し、図１７６の周辺制御ＣＰＵコア４１４０ａａが中央処理部に相当し、図１７６のバス４１４０ａｈがバスに相当し、図１７６の周辺制御内蔵ＲＡＭ４１４０ａｂにおけるランプ駆動基板側送信データ領域４１４０ａｂａ、扉装飾駆動基板側送信データ領域４１４０ａｂｂ、モータ駆動基板側送信データ領域４１４０ａｂｃが記憶部に相当し、図１７６の周辺制御各種シリアルＩ／Ｏポート４１４０ａｅがシリアル送信部に相当し、図１７６の周辺制御ＤＭＡコントローラ４１４０ａｃが転送部に相当し、図１７５のシリアルパラレル変換ＩＣ群３３６３ｃ、図１７７の扉装飾駆動基板１９２のシリアルパラレル変換ＩＣ群１９２ｄ、図１７８の受皿中継基板１９０のシリアルパラレル変換ＩＣ群１９０ａ、左サイド装飾基板１２６Ｌのシリアルパラレル変換ＩＣ群１２６Ｌａ、ガラス装飾中継基板４５４のシリアルパラレル変換ＩＣ群４５４ａ、図１７９の左トップランプ基板２０６Ｌのシリアルパラレル変換ＩＣ群２０６Ｌａ、右トップランプ基板２０６Ｒのシリアルパラレル変換ＩＣ群２０６Ｒａ、右サイド装飾基板１２６Ｒのシリアルパラレル変換ＩＣ群１２６Ｒａ等がシリアルパラレル変換部に相当し、図１７５のモータ駆動基板３３６３、図１５の扉装飾駆動基板１９２、図３２の受皿中継基板１９０、図１７の左サイド装飾基板１２６Ｌ、図５７のガラス装飾中継基板４５４、図２６の左トップランプ基板２０６Ｌ、右トップランプ基板２０６Ｒ、及び図１９の右サイド装飾基板１２６Ｒがシリアルパラレル変換手段に相当する。
【手続補正１４】
【補正対象書類名】明細書
【補正対象項目名】００１４
【補正方法】変更
【補正の内容】
【００１４】
本発明の遊技機においては、多くの遊技演出用の各種電気部材を設けることができる。
【手続補正１５】
【補正対象書類名】明細書
【補正対象項目名】０９７０
【補正方法】変更
【補正の内容】
【０９７０】
１…パチンコ遊技機（遊技機）、２…外枠、３…本体枠（本体枠）、４…遊技盤、５…扉枠（扉枠）、６０５…遊技領域、１４００…液晶表示装置、２００１…第一始動口、２００２…第二始動口、３０００…裏ユニット、３２７７…テレビ枠型装飾体３２７７、３２７７ａ…開口部、３２７９…駆動モータ、３２８０…第一ギア、３２８１…第二ギア、４１００…主制御基板、４１００…主制御基板（主制御手段）、４１００ａ…主制御ＭＰＵ（遊技マイクロプロセッサ）、４１３９…周辺制御基板（周辺制御手段）、４１４０…周辺制御部、４１４０ａ…周辺制御ＭＰＵ（演出マイクロプロセッサ）、４１４０ａａ…周辺制御ＣＰＵコア（中央処理部）、４１４０ａｂ…周辺制御内蔵ＲＡＭ（記憶部）、４１４０ａｃ…周辺制御ＤＭＡコントローラ（転送部）、４１４０ａｅ…周辺制御各種シリアルＩ／Ｏポート（シリアル送信部）、４１４０ａｈ…バス（バス）、４１５０…液晶制御部。